(57)【特許請求の範囲】
【請求項１】
楽曲のカラオケ演奏を行うための演奏データ及び当該楽曲の曲名を示す曲名データを、楽曲を識別するための楽曲識別情報と紐付けて楽曲毎に記憶するデータ記憶部と、
楽曲のカラオケ演奏音に対応する演奏音信号、及び利用者が当該楽曲をカラオケ歌唱した歌唱音声に対応する歌唱音声信号に基づいて、当該楽曲のカラオケ歌唱データを出力する出力部と、
前記楽曲の曲名データに基づいて、当該楽曲の曲名を紹介するための紹介音声データを生成する生成部と、
前記カラオケ歌唱データ及び前記紹介音声データを対応付けて、可搬型記録媒体に記録する記録部と、
を有し、
前記カラオケ歌唱データが複数出力された場合、前記記録部は、楽曲毎に、前記カラオケ歌唱データ及び前記紹介音声データを所定の順番で連続して書き込むことにより、記録するカラオケ装置。
【請求項２】
楽曲のカラオケ演奏を行うための演奏データ及び当該楽曲の曲名を示す曲名データを、楽曲を識別するための楽曲識別情報と紐付けて楽曲毎に記憶するデータ記憶部と、
楽曲のカラオケ演奏音に対応する演奏音信号、及び利用者が当該楽曲をカラオケ歌唱した歌唱音声に対応する歌唱音声信号に基づいて、当該楽曲のカラオケ歌唱データを出力する出力部と、
前記楽曲の曲名データに基づいて、当該楽曲の曲名を紹介するための紹介音声データを生成する生成部と、
前記カラオケ歌唱データ及び前記紹介音声データを対応付けて、可搬型記録媒体に記録する記録部と、
を有し、
前記カラオケ歌唱データが複数出力された場合、前記生成部は、各楽曲の紹介音声データを所定の順序で並べた一括紹介音声データを生成し、
前記記録部は、前記一括紹介音声データを記録した後、前記所定の順序に基づいて複数のカラオケ歌唱データを記録するカラオケ装置。
【請求項３】
前記データ記憶部は、楽曲を歌唱する歌手の性別情報を前記楽曲識別情報と紐付けて記憶し、
前記生成部は、前記曲名データに対応する性別情報に基づいて、前記紹介音声データを生成することを特徴とする請求項１または２記載のカラオケ装置。
【発明の詳細な説明】
【技術分野】
【０００１】
本発明は、カラオケ装置に関する。
【背景技術】
【０００２】
カラオケ装置は、楽曲のカラオケ演奏、及び当該カラオケ演奏に合わせて利用者が行ったカラオケ歌唱のデータを、ＣＤ等の可搬型記録媒体に記録して利用者に提供するサービスを実施できるものも存在する。
【０００３】
たとえば、特許文献１には、カラオケ演奏と歌唱音声の音響信号とを混合して録音データを作成し、その録音データを所定の可搬型記録媒体へ書き込むことができるカラオケ録音システムが開示されている。
【先行技術文献】
【特許文献】
【０００４】
【特許文献１】特開２００５−２４２０６１号公報
【発明の概要】
【発明が解決しようとする課題】
【０００５】
ここで、従来のサービスで提供される可搬型記録媒体は、カラオケ演奏及びカラオケ歌唱のデータが記録されているのみである。よって、後に自宅等で可搬型記録媒体に記録されているデータを再生する際に、どのような楽曲が記録されているのかを把握できない。そのため、利用者は可搬型記録媒体に記録されている楽曲の楽曲名を都度記憶しておく必要があり煩雑であった。
【０００６】
本発明の目的は、可搬型記録媒体に記録されている楽曲名を容易に把握することが可能なカラオケ装置を提供することにある。
【課題を解決するための手段】
【０００７】
上記目的を達成するための発明は、楽曲のカラオケ演奏を行うための演奏データ及び当該楽曲の曲名を示す曲名データを、楽曲を識別するための楽曲識別情報と紐付けて楽曲毎に記憶するデータ記憶部と、楽曲のカラオケ演奏音に対応する演奏音信号、及び利用者が当該楽曲をカラオケ歌唱した歌唱音声に対応する歌唱音声信号に基づいて、当該楽曲のカラオケ歌唱データを出力する出力部と、前記楽曲の曲名データに基づいて、当該楽曲の曲名を紹介するための紹介音声データを生成する生成部と、前記カラオケ歌唱データ及び前記紹介音声データを対応付けて、可搬型記録媒体に記録する記録部と、を有するカラオケ装置である。
本発明の他の特徴については、後述する明細書及び図面の記載により明らかにする。
【発明の効果】
【０００８】
本発明によれば、可搬型記録媒体に記録されている楽曲名を容易に把握することができる。
【図面の簡単な説明】
【０００９】
【図１】第１実施形態に係るカラオケ装置のハードウェア構成例を示す図である。
【図２】第１実施形態に係るカラオケ本体のソフトウェア構成例を示す図である。
【図３】第１実施形態における複数の楽曲のカラオケ歌唱データ及び紹介音声データを記録した順番を示した図である。
【図４】第１実施形態における複数の楽曲のカラオケ歌唱データ及び紹介音声データを記録した順番を示した図である。
【図５】第１実施形態に係るカラオケ装置の処理を示すフローチャートである。
【図６】第２実施形態における複数の楽曲のカラオケ歌唱データ及び紹介音声データを記録した順番を示した図である。
【図７】第２実施形態に係るカラオケ装置の処理を示すフローチャートである。
【発明を実施するための形態】
【００１０】
＜第１実施形態＞
図１〜図５を参照して、本実施形態に係るカラオケ装置Ｋについて説明する。
【００１１】
＝＝カラオケ装置＝＝
カラオケ装置Ｋは、カラオケ演奏及び利用者がカラオケ歌唱を行うための装置である。
【００１２】
図１に示すように、カラオケ装置Ｋは、カラオケ本体１０、スピーカ２０、表示装置３０、マイク４０、リモコン装置５０、及び記録装置６０を備える。
【００１３】
スピーカ２０は、各種音声を放音する。表示装置３０は、カラオケ本体１０からの信号に基づいて映像や画像を表示する。マイク４０は、利用者の歌唱音声をアナログの信号に変換してカラオケ本体１０に入力する。リモコン装置５０は、カラオケ本体１０に対する各種操作をおこなうための装置である。利用者は、リモコン装置５０を用いてカラオケ歌唱を希望する楽曲の選曲等を行うことができる。リモコン装置５０は、選曲された楽曲の楽曲識別情報（後述）を予約待ち行列に登録する。リモコン装置５０の表示画面には各種操作の指示入力を行うためのアイコン等が表示される。
【００１４】
記録装置６０は、可搬型記録媒体にカラオケ歌唱データ及び紹介音声データ（いずれも後述）を記録するための装置である。可搬型記録媒体は、ＣＤやＤＶＤのメディアである。なお、記録装置６０は、一般的なＤＶＤレコーダー等、カラオケ装置Ｋとは別で設けられた装置であってもよい。
【００１５】
本実施形態におけるカラオケ装置Ｋは、楽曲のカラオケ演奏及び利用者によるカラオケ歌唱を可搬型記録媒体に記録させるサービスを提供できる。カラオケ装置Ｋは、たとえば、利用者がリモコン装置５０を介して「ＣＤプレスモード」を選択した場合、当該サービスのための処理を実行する（詳細は後述）。
【００１６】
カラオケ本体１０は、選曲された楽曲のカラオケ演奏制御、歌詞や背景映像等の表示制御、マイク４０を通じて入力された信号の処理といった、カラオケ歌唱に関する各種の制御を行う。図１に示すように、カラオケ本体１０は、制御部１１、通信部１２、記憶部１３、音響処理部１４、表示処理部１５、及び操作部１６を備える。各構成はインターフェース（図示なし）を介してバスＢに接続されている。
【００１７】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００１８】
通信部１２は、ルーター（図示なし）を介してカラオケ本体１０を通信回線に接続するためのインターフェースを提供する。
【００１９】
記憶部１３は、各種のデータを記憶する大容量の記憶装置であり、たとえばハードディスクドライブなどである。
【００２０】
音響処理部１４は、制御部１１の制御に基づき、楽曲のカラオケ演奏、及びマイク４０を通じて入力された歌唱音声に基づく信号の処理を行う。
【００２１】
音響処理部１４は、音源、ミキサ、アンプ等を含む。音源は、演奏データ（後述）に基づいてカラオケ演奏音に対応する演奏音信号を生成する。ミキサは、入力された演奏音信号等をミキシングする。たとえば、ミキサは、生成されたカラオケ演奏音に対応する演奏音信号、及び利用者の歌唱音声に基づく歌唱音声信号が入力された場合、２つの信号をミキシングしてアンプに出力する。アンプは、ミキサから出力された信号を増幅し、カラオケ演奏音及び歌唱音声としてスピーカ２０から放音させる。
【００２２】
表示処理部１５は、制御部１１の制御に基づき、表示装置３０やリモコン装置５０における各種表示に関する処理を行う。たとえば、表示処理部１５は、楽曲のカラオケ演奏時における背景映像に歌詞テロップが重ねられた映像を表示装置３０に表示させる処理を行う。操作部１６は、パネルスイッチおよびリモコン受信回路などからなり、利用者によるカラオケ装置１のパネルスイッチあるいはリモコン装置５０の操作に応じた操作信号を制御部１１に対して出力する。制御部１１は、操作部１６からの操作信号を検出し、対応する処理を実行する。
【００２３】
（ソフトウェア構成）
図２はカラオケ本体１０のソフトウェア構成例を示す図である。本実施形態において、カラオケ装置Ｋのカラオケ本体１０は、データ記憶部１００、演奏制御部２００、出力部３００、生成部４００、及び記録部５００として機能する。データ記憶部１００は、記憶部１３の記憶領域の一部として提供される。演奏制御部２００、出力部３００、生成部４００、及び記録部５００は、上述の「ＣＤプレスモード」の選択に応じて、ＣＰＵ１１ａがメモリ１１ｂに記憶されている「ＣＤプレスモード」に対応するプログラムを実行することにより実現される。
【００２４】
［データ記憶部］
データ記憶部１００は、楽曲のカラオケ演奏を行うための演奏データ及び当該楽曲の曲名を示す曲名データを、楽曲を識別するための楽曲識別情報と紐付けて楽曲毎に記憶する。
【００２５】
演奏データは、カラオケ演奏音の元となるデータである。曲名データは、楽曲の曲名をテキスト化したデータである。楽曲識別情報は、たとえば楽曲ＩＤのような楽曲毎に固有の情報である。
【００２６】
データ記憶部１００は、楽曲識別情報に、リファレンスデータ、歌詞テロップデータ、背景映像データ、楽曲の属性情報等を紐付けて記憶していてもよい。
【００２７】
リファレンスデータは、利用者によるカラオケ歌唱を採点するためのデータであり、採点時の基準として用いられるデータである。歌詞テロップデータは、楽曲に対応する歌詞テロップをカラオケ演奏に合わせて表示装置３０等に表示させるためのデータである。背景映像データは、楽曲に対応する背景映像をカラオケ演奏に合わせて表示装置３０等に表示させるためのデータである。楽曲の属性情報は、楽曲を歌唱する歌手の歌手名、楽曲を歌唱する歌手の性別情報、作詞・作曲者名、ジャンル等の当該楽曲に関する情報である。
【００２８】
［演奏制御部］
演奏制御部２００は、音響処理部１４を制御してカラオケ演奏を行わせる。
【００２９】
たとえば、予約待ち行列に楽曲Ｘ１、楽曲Ｘ２、楽曲Ｘ３の順番でそれぞれの楽曲ＩＤが登録されている場合、演奏制御部２００は、まず楽曲Ｘ１の楽曲ＩＤを読み出し、対応する演奏データをデータ記憶部１００から取得する。そして、演奏制御部２００は、取得した演奏データを音響処理部１４に出力し、カラオケ演奏を行わせる。またこの際、演奏制御部２００は、取得した楽曲Ｘ１の演奏データに基づき音響処理部１４において生成された演奏音信号を出力部３００に出力する。
【００３０】
利用者は、楽曲Ｘ１のカラオケ演奏に合わせてマイク４０を用いてカラオケ歌唱を行う。この際、演奏制御部２００は、マイク４０から入力された歌唱音声に対応する楽曲Ｘ１の歌唱音声信号を出力部３００に出力する。
【００３１】
同様に、演奏制御部２００は、楽曲Ｘ２及び楽曲Ｘ３についても演奏音信号及び歌唱音声信号を出力部３００に出力する。
【００３２】
［出力部］
出力部３００は、楽曲のカラオケ演奏音に対応する演奏音信号、及び利用者が当該楽曲をカラオケ歌唱した歌唱音声に対応する歌唱音声信号に基づいて、当該楽曲のカラオケ歌唱データを出力する。
【００３３】
上記例において、演奏制御部２００から楽曲Ｘ１のカラオケ演奏音に対応する演奏音信号、及び利用者が楽曲Ｘ１をカラオケ歌唱した歌唱音声に対応する歌唱音声信号の入力を受けた場合、出力部３００は、それらの信号を混合して録音データを作成し、楽曲Ｘ１のカラオケ歌唱データＫＤ１として出力する。
【００３４】
同様に、出力部３００は、楽曲Ｘ２のカラオケ演奏及びカラオケ歌唱に応じて楽曲Ｘ２のカラオケ歌唱データＫＤ２を出力し、楽曲Ｘ３のカラオケ演奏及びカラオケ歌唱に応じて楽曲Ｘ３のカラオケ歌唱データＫＤ３を出力する。
【００３５】
データ記憶部１００は、出力されたカラオケ歌唱データを一時的に記憶する。
【００３６】
［生成部］
生成部４００は、楽曲の曲名データに基づいて、紹介音声データを生成する。紹介音声データは、楽曲の曲名を音声として放音するためのデータである。
【００３７】
紹介音声データの生成は、曲名データを構成するテキストデータに対して所定の音声を合成する公知の音声合成技術により行うことができる。
【００３８】
所定の音声は、予め設定されている音声（たとえば、男性の音声、女性の音声、特殊なエフェクトをかけた音声）を用いることができる。
【００３９】
上記例において、楽曲Ｘ１のカラオケ演奏が開始された場合、生成部４００は、楽曲Ｘ１の曲名データをデータ記憶部１００から読み出し、曲名データに対して所定の音声を合成することにより、紹介音声データＰＤ１を生成する。このような紹介音声データＰＤ１に基づく音声は、たとえば、「次はＸ１です」といった、次に演奏される楽曲名を把握できるような音声である。
【００４０】
同様に、生成部４００は、楽曲Ｘ２の紹介音声データＰＤ２及び楽曲Ｘ３の紹介音声データＰＤ３を生成する。
【００４１】
データ記憶部１００は、生成された紹介音声データを、対応するカラオケ歌唱データと紐付けて一時的に記憶する。紹介音声データとカラオケ歌唱データとの紐付けは、楽曲識別情報により行う。
【００４２】
なお、生成部４００が紹介音声データを生成するタイミングは、カラオケ演奏の開始に限られない。紹介音声データの生成は、記録部５００により可搬記録媒体に記録されるまでの任意のタイミングで行うことができる。
【００４３】
また、生成部３００は、曲名データに対応する性別情報に基づいて、紹介音声データを生成することもできる。
【００４４】
たとえば、楽曲Ｘ１の歌手が男性である場合、データ記憶部１００は、楽曲Ｘ１の性別情報として「男性」を記憶している。
【００４５】
生成部３００は、楽曲Ｘ１の曲名データと併せて性別情報をデータ記憶部１００から読み出し、性別情報「男性」に基づいて、曲名データに対して男性の音声を合成することで男性の声による紹介音声データＰＤ１を生成する。
【００４６】
逆に、生成部３００は、曲名データに対し、性別情報が示す性別と異なる性別の音声を合成してもよい。たとえば、生成部３００は、楽曲Ｘ１の性別情報「男性」に基づいて、曲名データに対し、女性の音声を合成することで女性の声による紹介音声データＰＤ１を生成してもよい。
【００４７】
或いは、生成部３００は、楽曲Ｘ１の曲名データと併せて歌手名の属性情報をデータ記憶部１００から読み出し、歌手名を含む紹介音声データＰＤ１を生成することもできる。このような紹介音声データＰＤ１に基づく音声は、たとえば、「次は●●（歌手名）のＸ１です」といった、次に演奏される楽曲名及び歌手名を把握できるような音声である。
【００４８】
［記録部］
記録部５００は、カラオケ歌唱データ及び紹介音声データを対応付けて、可搬型記録媒体に記録する。
【００４９】
具体的に、記録部５００は、記録装置６０を制御し、出力されたカラオケ歌唱データ、及び当該カラオケ歌唱データに対応する紹介音声データを可搬型記録媒体に書き込むことにより記録を行う。
【００５０】
また、カラオケ歌唱データが複数出力された場合、記録部５００は、楽曲毎に、カラオケ歌唱データ及び紹介音声データを対応付けて記録することができる。
【００５１】
上記例の場合、記録部５００は、楽曲Ｘ１のカラオケ歌唱データＫＤ１及び紹介音声データＰＤ１を連続で書き込む。
【００５２】
同様に、記録部５００は、楽曲Ｘ２のカラオケ歌唱データＫＤ２及び紹介音声データＰＤ２を連続で書き込み、楽曲Ｘ３のカラオケ歌唱データＫＤ３及び紹介音声データＰＤ３を連続で書き込む。図３は、楽曲Ｘ１〜楽曲Ｘ３のカラオケ歌唱データ及び紹介音声データを記録した順番を示した図である。図３の例では、楽曲毎に、まず紹介音声データを記録し、次にカラオケ歌唱データを記録している。
【００５３】
なお、記録の順番は図３の例に限られない。たとえば、カラオケ歌唱データを先に記録した後、紹介音声データを記録してもよい。図４は、この場合の楽曲Ｘ１〜楽曲Ｘ３のカラオケ歌唱データ及び紹介音声データを記録した順番を示した図である。紹介音声データＰＤ１に基づく音声は、たとえば「只今の楽曲はＸ１でした」といった、直前に演奏された楽曲名を把握できるような音声である。
【００５４】
また、カラオケ歌唱データが複数出力された場合、どの楽曲のカラオケ歌唱データ及び紹介音声データから記録を行うかは、任意に設定することができる。
【００５５】
たとえば、記録部５００は、予約待ち行列に登録された順（上記例であれば楽曲Ｘ１、楽曲Ｘ２、楽曲Ｘ３の順）に記録することができる。
【００５６】
また、記録部５００は、利用者がリモコン装置５０を介して指定した順番に基づいて記録を行ってもよい。或いは、記録部５００は、カラオケ歌唱の採点結果に基づいて、採点結果の高い楽曲（或いは低い楽曲）から順に記録を行うようにしてもよい。カラオケ歌唱の採点は、公知の手法により行うことができる。
【００５７】
また、カラオケ装置Ｋは、記録を行う前に歌唱音声を確認するための確認モードを設定してもよい。たとえば、利用者がリモコン装置５０を介して確認モードを選択した場合、演奏制御部２００は、音響処理部１４を制御し、カラオケ歌唱データに基づいて、カラオケ演奏音及び歌唱音声をスピーカ２０から放音させる。利用者は、これらの音声を聴いたうえで任意の楽曲を選択する。記録部５００は、選択された楽曲のカラオケ歌唱データ及び紹介音声データの記録を行う。
【００５８】
＝＝カラオケ装置における処理について＝＝
次に、図５を参照して本実施形態に係るカラオケ装置Ｋにおける処理の具体例について述べる。図５は、カラオケ装置Ｋにおける処理例を示すフローチャートである。この例では、利用者がリモコン装置５０を介して上述の「ＣＤプレスモード」を選択したとする。また、予約待ち行列には複数の楽曲Ｘ１〜楽曲Ｘ３が登録されているとする。また、データ記憶部１００は、各楽曲の演奏データ及び曲名データを、楽曲ＩＤと紐付けて記憶しているとする。
【００５９】
演奏制御部２００は、音響処理部１４を制御し、楽曲Ｘ１のカラオケ演奏を行わせる。この際、演奏制御部２００は、当該楽曲のカラオケ演奏音に対応する演奏音信号を出力部３００に出力する（演奏音信号の出力。ステップ１０）。
【００６０】
利用者は、楽曲Ｘ１のカラオケ演奏に合わせてマイク４０を用いてカラオケ歌唱を行う。この際、演奏制御部２００は、マイク４０から入力された歌唱音声に対応する楽曲Ｘ１の歌唱音声信号を出力部３００に出力する（歌唱音声信号の出力。ステップ１１）。
【００６１】
楽曲Ｘ１の演奏音信号、及び利用者が楽曲Ｘ１をカラオケ歌唱した歌唱音声に対応する歌唱音声信号の入力を受けた場合、出力部３００は、それらの信号を混合して録音データを作成し、楽曲Ｘ１のカラオケ歌唱データＫＤ１としてデータ記憶部１００に出力する（カラオケ歌唱データの出力。ステップ１２）。
【００６２】
一方、生成部４００は、楽曲Ｘ１の曲名データに基づいて、楽曲Ｘ１の曲名を紹介するための紹介音声データＰＤ１を生成する（紹介音声データの生成。ステップ１３）。生成部４００は、紹介音声データＰＤ１をデータ記憶部１００に出力する。
【００６３】
予約待ち行列にカラオケ演奏を行っていない楽曲が登録されている場合（ステップ１４でＮの場合）、演奏制御部２００、出力部３００、及び生成部４００は、全ての楽曲（この例であれば楽曲Ｘ２及び楽曲Ｘ３）のカラオケ演奏が終了するまで、それぞれの楽曲のカラオケ演奏及びカラオケ歌唱に伴って、ステップ１０からステップ１３の処理を行う。
【００６４】
全ての楽曲のカラオケ演奏が終了した場合（ステップ１４でＹの場合）、記録部５００は、データ記憶部１００に記憶されているカラオケ歌唱データ及び紹介音声データを、楽曲毎に対応付けて、ＣＤに記録する（楽曲毎にカラオケ歌唱データ及び紹介音声データを記録。ステップ１５）。
【００６５】
以上から明らかなように、本実施形態に係るカラオケ装置Ｋは、楽曲のカラオケ演奏を行うための演奏データ及び当該楽曲の曲名を示す曲名データを、楽曲を識別するための楽曲識別情報と紐付けて楽曲毎に記憶するデータ記憶部１００と、楽曲のカラオケ演奏音に対応する演奏音信号、及び利用者が当該楽曲をカラオケ歌唱した歌唱音声に対応する歌唱音声信号に基づいて、当該楽曲のカラオケ歌唱データを出力する出力部３００と、楽曲の曲名データに基づいて、当該楽曲の曲名を紹介するための紹介音声データを生成する生成部４００と、カラオケ歌唱データ及び紹介音声データを対応付けて、可搬型記録媒体に記録する記録部５００と、を有する。
【００６６】
このようなカラオケ装置Ｋによれば、カラオケ歌唱データ及び紹介音声データを可搬型記録媒体に記録することができる。従って、当該可搬型記録媒体に記録されているデータを自宅等で再生する場合、歌唱音声やカラオケ演奏音だけでなく、楽曲名を紹介する紹介音声が放音される。このため、利用者は可搬型記録媒体に記録されている楽曲の楽曲名を記憶する必要はない。すなわち、本実施形態に係るカラオケ装置Ｋによれば、可搬型記録媒体に記録されている楽曲名を容易に把握することができる。
【００６７】
また、本実施形態に係るデータ記憶部１００は、楽曲を歌唱する歌手の性別情報を楽曲識別情報と紐付けて記憶し、生成部４００は、曲名データに対応する性別情報に基づいて、紹介音声データを生成することができる。このような紹介音声データに基づく紹介音声を放音することにより、可搬型記録媒体に記録されているデータを再生する際の興趣性を高めることができる。
【００６８】
また、カラオケ歌唱データが複数出力された場合、記録部５００は、楽曲毎に、カラオケ歌唱データ及び紹介音声データを対応付けて記録することができる。このように楽曲毎にデータを記録することにより、可搬型記録媒体に記録されているデータを再生する際、利用者は、今から演奏される楽曲の楽曲名（或いは今演奏された楽曲の楽曲名）を容易に把握することができる。
【００６９】
＜第２実施形態＞
次に、図６及び図７を参照して、第２実施形態に係るカラオケ装置について説明する。本実施形態では、第１実施形態とは異なるカラオケ歌唱データ及び紹介音声データの対応付けについて述べる。第１実施形態と同様の構成については詳細な説明を省略する。
【００７０】
［生成部］
本実施形態に係る生成部４００は、カラオケ歌唱データが複数生成された場合、各楽曲の紹介音声データを所定の順序で並べた一括紹介音声データを生成する。
【００７１】
所定の順序は、たとえば予約待ち行列に登録されている順、採点結果が高い順等、予め設定されている順序である。或いは、所定の順序は、利用者がリモコン装置５０を介して決定した任意の順序であってもよい。
【００７２】
たとえば、第１実施形態の例において、生成部４００は、楽曲Ｘ１〜楽曲Ｘ３の曲名データに基づいて、それぞれ紹介音声データＰＤ１〜紹介音声データＰＤ３を生成する。データ記憶部１００は、紹介音声データを一時的に記憶する。
【００７３】
予約された楽曲全てのカラオケ演奏が終了した後、生成部４００は、紹介音声データＰＤ１〜紹介音声データＰＤ３を所定の順序で並べることで一括紹介音声データＢＤを生成する。
【００７４】
［記録部］
本実施形態に係る記録部５００は、一括紹介音声データを記録した後、所定の順序に基づいて複数のカラオケ歌唱データを記録する。
【００７５】
たとえば、上記例において、記録部５００は、まず一括紹介音声データＢＤをＣＤに記録する。その後、記録部５００は、所定の順序でカラオケ歌唱データを記録する。図６は、楽曲Ｘ１〜楽曲Ｘ３のカラオケ歌唱データ及び一括紹介音声データを記録した順番を示した図である。なお、この例では、カラオケ歌唱データ、及び一括紹介音声データに含まれる紹介音声データは、それぞれ予約待ち行列に登録された順に記録されている。
【００７６】
＝＝カラオケ装置における処理について＝＝
次に、図７を参照して本実施形態に係るカラオケ装置Ｋにおける処理の具体例について述べる。図７は、カラオケ装置Ｋにおける処理例を示すフローチャートである。この例では、利用者がリモコン装置５０を介して上述の「ＣＤプレスモード」を選択したとする。また、予約待ち行列には複数の楽曲Ｘ１〜楽曲Ｘ３が登録されているとする。また、データ記憶部１００は、各楽曲の演奏データ及び曲名データを、楽曲ＩＤと紐付けて記憶しているとする。
【００７７】
ステップ２０〜ステップ２４は、第１実施形態のステップ１０〜ステップ１４と同様である。
【００７８】
全ての楽曲のカラオケ演奏が終了した場合（ステップ２４でＹの場合）、生成部４００は、各楽曲の紹介音声データを所定の順序で並べた一括紹介音声データを生成する（一括紹介音声データの生成。ステップ２５）。
【００７９】
記録部５００は、ステップ２５で生成された一括紹介音声データをＣＤに記録した後、所定の順序に基づいて複数のカラオケ歌唱データをＣＤに記録する（一括紹介音声データを記録した後、カラオケ歌唱データを記録。ステップ２６）。
【００８０】
このように、本実施形態に係るカラオケ装置Ｋにおいて、カラオケ歌唱データが複数出力された場合、生成部４００は、各楽曲の紹介音声データを所定の順序で並べた一括紹介音声データを生成し、記録部５００は、一括紹介音声データを記録した後、所定の順序に基づいて複数のカラオケ歌唱データを記録することができる。このような一括紹介音声データに基づく紹介音声が放音されることにより、利用者は、可搬型記録媒体に記録されている全ての楽曲の楽曲名及び曲順をまとめて把握することができる。
【００８１】
＜その他＞
なお、生成部４００は、曲名データに基づいて、一の楽曲に対して複数の紹介音声データを生成してもよい。具体的には、カラオケ歌唱データの前に記録するための前紹介音声データと、カラオケ歌唱データの後に記録するための後紹介音声データを生成する。前紹介音声データに基づく音声は、たとえば「次はＸ１です」といった、次に演奏される楽曲名を把握できるような音声である。一方、後紹介音声データに基づく音声は、たとえば「只今の楽曲はＸ１でした」といった、直前に演奏された楽曲名を把握できるような音声である。
【００８２】
この場合、記録部５００は、楽曲毎に、前紹介音声データ、カラオケ歌唱データ、後紹介音声データの順番で連続して書き込みを行う。
【００８３】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００８４】
１００  データ記憶部
２００  演奏制御部
３００  出力部
４００  生成部
５００  記録部
Ｋ  カラオケ装置
【要約】
【課題】可搬型記録媒体に記録されている楽曲名を容易に把握することが可能なカラオケ装置を提供する。
【解決手段】楽曲のカラオケ演奏音に対応する演奏音信号、及び利用者が当該楽曲をカラオケ歌唱した歌唱音声に対応する歌唱音声信号に基づいて、当該楽曲のカラオケ歌唱データを出力する出力部、楽曲の曲名データに基づいて、当該楽曲の曲名を紹介するための紹介音声データを生成する生成部、カラオケ歌唱データ及び紹介音声データを対応付けて、可搬型記録媒体に記録する記録部を有するカラオケ装置。
【選択図】図２【図１】
0006920489.tif 000002
【図２】
0006920489.tif 000003
【図３】
0006920489.tif 000004
【図４】
0006920489.tif 000005
【図５】
0006920489.tif 000006
【図６】
0006920489.tif 000007
【図７】
0006920489.tif 000008